(57)【要約】【課題】ユーザに対して、生活改善させるための強い動機付けを与えることが可能な保健指導支援用プログラムを提供する。【解決手段】この保健指導支援用プログラム５ａは、保健指導支援システム１のＣＰＵ２１を、受け付けられたユーザの目標を達成するための目標エネルギ減少量と、現在の生活状況に関する情報および生活改善プランの両方に基づいて得られたユーザの現状に対するプラン実行時のエネルギ減少量とを比較可能に表示するように機能させる。【選択図】図５
2010176242.tif 000002
【特許請求の範囲】
【請求項１】
コンピュータを、
ユーザの現在の生活状況に関する情報の入力を受け付ける現状受付手段と、
ユーザの生活改善のための目標の入力を受け付ける目標受付手段と、
ユーザの生活改善プランの入力を受け付ける改善プラン受付手段と、
前記目標受付手段により受け付けられた前記目標を達成するための目標エネルギ減少量と、前記現在の生活状況に関する情報および前記生活改善プランの両方に基づいて得られた現状に対する改善時の改善エネルギ減少量とを比較可能に表示するエネルギ比較表示手段として機能させるための保健指導支援用プログラム。
【請求項２】
前記コンピュータを、
前記目標受付手段により受け付けられた前記目標に基づいて前記目標エネルギ減少量を算出する目標エネルギ算出手段と、
前記現在の生活状況に関する情報および前記生活改善プランの両方に基づいて、前記現状に対する改善時の改善エネルギ減少量を算出する改善エネルギ算出手段としてさらに機能させ、
前記エネルギ比較表示手段は、前記目標エネルギ算出手段により算出された前記目標エネルギ減少量と、前記改善エネルギ算出手段により算出された前記改善エネルギ減少量とを比較可能に表示するように構成されている、請求項１に記載の保健指導支援用プログラム。
【請求項３】
前記改善プラン受付手段は、複数の項目に関する前記生活改善プランの入力を前記項目毎のプラン受付画面を介して受け付け、
前記改善エネルギ算出手段は、前記複数の項目の合算の前記現状に対する改善時の合算改善エネルギ減少量を算出するように構成されており、
前記エネルギ比較表示手段は、前記項目毎のプラン受付画面のうちの少なくとも１つの前記プラン受付画面において、前記目標エネルギ減少量と、前記合算改善エネルギ減少量とを比較可能に表示するように構成されている、請求項２に記載の保健指導支援用プログラム。
【請求項４】
前記改善エネルギ算出手段は、さらに、前記生活改善プランの前記項目毎の現状に対する改善時の項目エネルギ減少量を算出するように構成されており、
前記エネルギ比較表示手段は、前記目標エネルギ減少量および前記合算改善エネルギ減少量に加えて、前記項目エネルギ減少量も前記項目に対応する前記プラン受付画面上に表示するように構成されている、請求項３に記載の保健指導支援用プログラム。
【請求項５】
前記改善エネルギ算出手段は、前記生活改善プランの少なくとも前記項目毎の消費エネルギ量を算出する改善消費エネルギ算出手段と、前記生活改善プランの少なくとも前記項目毎の摂取エネルギ量を算出する改善摂取エネルギ算出手段とを有する、請求項４に記載の保健指導支援用プログラム。
【請求項６】
前記現状受付手段は、前記改善プラン受付手段が前記生活改善プランの入力を受け付ける前記プラン受付画面を介して前記現在の生活状況に関する情報の入力を受け付けるように構成されている、請求項３〜５のいずれか１項に記載の保健指導支援用プログラム。
【請求項７】
前記現状受付手段は、ユーザが前記プラン受付画面に表示される現状用選択肢を選択することによって、前記現在の生活状況に関する情報の入力を受け付け、
前記改善プラン受付手段は、ユーザが前記プラン受付画面に表示される改善用選択肢を選択することによって、前記生活改善プランの入力を受け付けるように構成されている、請求項６に記載の保健指導支援用プログラム。
【請求項８】
前記コンピュータを、
ユーザにより選択された前記現状用選択肢に基づいて、前記改善用選択肢を選択して前記プラン受付画面に選択結果を表示する改善プラン表示手段としてさらに機能させるための、請求項７に記載の保健指導支援用プログラム。
【請求項９】
前記現状用選択肢および前記改善用選択肢は、共通の選択肢からなる、請求項７または８に記載の保健指導支援用プログラム。
【請求項１０】
前記コンピュータを、
ユーザの健康に関する質問に対する回答の入力を受け付ける健康情報回答受付手段と、
前記健康情報回答受付手段により受け付けられた前記健康に関する質問に対する回答に基づいて、前記生活改善プランの少なくとも１つの前記項目においてユーザに応じた前記現状用選択肢および前記改善用選択肢を表示する選択肢表示手段としてさらに機能させるための、請求項７〜９のいずれか１項に記載の保健指導支援用プログラム。
【請求項１１】
前記コンピュータを、
ユーザの健康に関する質問に対する回答の入力を受け付ける健康情報回答受付手段と、
前記健康情報回答受付手段により受け付けられた前記健康に関する質問に対する回答に基づいて、前記生活改善プランに取り組むための前記項目の優先順位を決定して識別可能に表示する優先順位決定表示手段としてさらに機能させるための、請求項３〜９のいずれか１項に記載の保健指導支援用プログラム。
【請求項１２】
前記エネルギ比較表示手段は、前記目標エネルギ減少量および前記改善エネルギ減少量を比較可能なグラフを表示するように構成されている、請求項１〜１１のいずれか１項に記載の保健指導支援用プログラム。
【請求項１３】
前記現状受付手段は、運動、飲酒、間食、外食、食事量からなる群から選択される少なくとも１種に関する前記現在の生活状況に関する情報の入力を受け付け、
前記改善プラン受付手段は、運動、飲酒、間食、外食、食事量からなる群から選択される少なくとも１種に関する前記改善プランの入力を受け付けるように構成されている、請求項１〜１２のいずれか１項に記載の保健指導支援用プログラム。
【請求項１４】
前記目標受付手段は、体重、腹囲および体脂肪率からなる群から選択される少なくとも１種に関する前記目標の入力を受け付けるように構成されている、請求項１〜１３のいずれか１項に記載の保健指導支援用プログラム。
【請求項１５】
前記コンピュータを、
ユーザの健康に関する基礎情報の入力を受け付ける基礎情報受付手段と、
前記基礎情報および前記生活改善プランに基づいて、ユーザに対してプランに取り組む際の助言を示す助言手段としてさらに機能させる、請求項１〜１４のいずれか１項に記載の保健指導支援用プログラム。
【請求項１６】
コンピュータを、
ユーザの現在の生活状況に関する情報の入力を受け付ける現状受付手段と、
ユーザの生活改善のための目標の入力を受け付ける目標受付手段と、
ユーザの生活改善プランの入力を受け付ける改善プラン受付手段と、
前記目標受付手段により受け付けられた前記目標を達成するための目標エネルギ減少量と、前記現在の生活状況に関する情報および前記生活改善プランの両方に基づいて得られた現状に対する改善時の改善エネルギ減少量とを比較可能に表示するエネルギ比較表示手段として機能させるための保健指導支援用プログラムを記録した記録媒体。
【請求項１７】
ユーザの現在の生活状況に関する情報の入力を受け付ける現状受付部と、
ユーザの生活改善のための目標の入力を受け付ける目標受付部と、
ユーザの生活改善プランの入力を受け付ける改善プラン受付部と、
前記目標受付部により受け付けられた前記目標を達成するための目標エネルギ減少量と、前記現在の生活状況に関する情報および前記生活改善プランの両方に基づいて得られた現状に対する改善時の改善エネルギ減少量とを比較可能に表示するエネルギ比較表示部とを備える、保健指導支援システム。
【発明の詳細な説明】
【技術分野】
【０００１】
本発明は、保健指導支援用プログラム、保健指導支援用プログラムを記録した記録媒体および保健指導支援システムに関し、特に、ユーザの現在の生活状況に関する情報の入力を受け付ける保健指導支援用プログラム、その保健指導支援用プログラムを記録した記録媒体、および、ユーザの現在の生活状況に関する情報の入力を受け付ける保健指導支援システムに関する。
【背景技術】
【０００２】
従来、ユーザの現在の生活状況に関する情報の入力を受け付ける生活活動パターン診断方法が知られている（たとえば、特許文献１参照）。
【０００３】
上記特許文献１には、ユーザの現在の生活パターンに関する情報の入力を受け付けるとともに、処理部により現在の生活パターンにおけるエネルギ収支を算出し、処理部により現在の生活パターンに対する代替活動パターン（改善プラン）を作成する生活活動パターン診断方法が開示されている。この生活活動パターン診断方法では、ユーザの意図する生活改善目標とは無関係に、処理部により、代替活動パターンにおける絶対的なエネルギ消費量およびエネルギ摂取量に基づいてエネルギ収支がゼロ以下となるように代替活動パターン（改善プラン）を作成して提案するように構成されている。
【先行技術文献】
【特許文献】
【０００４】
【特許文献１】特許第３９１７９１６号公報
【発明の概要】
【発明が解決しようとする課題】
【０００５】
しかしながら、上記特許文献１に記載の生活活動パターン診断方法では、ユーザの意図する生活改善目標とは無関係に、改善時の絶対的なエネルギ消費量およびエネルギ摂取量に基づいてエネルギ収支がゼロ以下になるように作成された代替活動パターン（改善プラン）をユーザに提案するだけであるので、ユーザは、ユーザの意図する生活改善目標に対して代替活動パターン（改善プラン）がどのくらい効果を有するのかが把握し難いという不都合がある。このため、ユーザに対して、代替活動パターン（改善プラン）に取り組むための強い動機付けを与えることができないと考えられる。
【０００６】
この発明は、上記のような課題を解決するためになされたものであり、この発明の１つの目的は、ユーザに対して、生活改善させるための強い動機付けを与えることが可能な、保健指導支援用プログラム、保健指導支援用プログラムを記録した記録媒体、および、保健指導支援システムを提供することである。
【課題を解決するための手段および発明の効果】
【０００７】
上記目的を達成するために、この発明の第１の局面における保健指導支援用プログラムは、コンピュータを、ユーザの現在の生活状況に関する情報の入力を受け付ける現状受付手段と、ユーザの生活改善のための目標の入力を受け付ける目標受付手段と、ユーザの生活改善プランの入力を受け付ける改善プラン受付手段と、目標受付手段により受け付けられた目標を達成するための目標エネルギ減少量と、現在の生活状況に関する情報および生活改善プランの両方に基づいて得られた現状に対する改善時の改善エネルギ減少量とを比較可能に表示するエネルギ比較表示手段として機能させる。
【０００８】
この発明の第１の局面による保健指導支援用プログラムでは、上記のように、コンピュータを、ユーザの生活改善のための目標の入力を受け付ける目標受付手段により受け付けられたユーザの目標を達成するための目標エネルギ減少量と、ユーザの現在の生活状況に関する情報およびユーザの生活改善プランの両方に基づく現状に対する改善時の改善エネルギ減少量とを比較可能に表示するエネルギ比較表示手段として機能させることによって、ユーザの意図で入力した目標を達成するための目標エネルギ減少量と現状に対する改善時の改善エネルギ減少量との関係を視覚的に認識することができるので、ユーザはユーザの意図する生活改善目標に対して生活改善プランがどのくらいの効果を有するのかを容易に把握することができる。これにより、ユーザの生活改善プランへの取り組み意欲が刺激され、ユーザに対して、生活改善させるための強い動機付けを与えることができる。また、現状に対する改善時の改善エネルギ減少量を表示することによって、ユーザは現状に対する改善時の相対的なエネルギ減少量を算出することなく視覚的に容易に認識することができるので、これによっても、ユーザの生活改善プランの取り組み意欲を刺激することができる。
【０００９】
上記第１の局面による保健指導支援用プログラムにおいて、好ましくは、コンピュータを、目標受付手段により受け付けられた目標に基づいて目標エネルギ減少量を算出する目標エネルギ算出手段と、現在の生活状況に関する情報および生活改善プランの両方に基づいて、現状に対する改善時の改善エネルギ減少量を算出する改善エネルギ算出手段としてさらに機能させ、エネルギ比較表示手段は、目標エネルギ算出手段により算出された目標エネルギ減少量と、改善エネルギ算出手段により算出された改善エネルギ減少量とを比較可能に表示するように構成されている。このように構成すれば、ユーザは自ら算出することなく、目標エネルギ減少量と改善エネルギ減少量とを視覚的に容易に認識することができる。
【００１０】
この場合、好ましくは、改善プラン受付手段は、複数の項目に関する生活改善プランの入力を項目毎のプラン受付画面を介して受け付け、改善エネルギ算出手段は、複数の項目の合算の現状に対する改善時の合算改善エネルギ減少量を算出するように構成されており、エネルギ比較表示手段は、項目毎のプラン受付画面のうちの少なくとも１つのプラン受付画面において、目標エネルギ減少量と、合算改善エネルギ減少量とを比較可能に表示するように構成されている。このように構成すれば、生活改善プランを入力する際に、目標エネルギ減少量と各改善項目の合算の現状に対する改善時の合算改善エネルギ減少量とが比較可能に表示されるので、ユーザは、目標エネルギ減少量と合算改善エネルギ減少量とを視覚的に比較しながら、生活改善プランの入力の選択肢を考えることができる。
【００１１】
上記改善エネルギ算出手段が合算改善エネルギ減少量を算出する構成において、好ましくは、改善エネルギ算出手段は、さらに、生活改善プランの項目毎の現状に対する改善時の項目エネルギ減少量を算出するように構成されており、エネルギ比較表示手段は、目標エネルギ減少量および合算改善エネルギ減少量に加えて、項目エネルギ減少量も項目に対応するプラン受付画面上に表示するように構成されている。このように構成すれば、目標エネルギ減少量と項目毎の現状に対する改善時の項目エネルギ減少量とを項目に対応するプラン受付画面上で比較することによって、ユーザは、目標エネルギ減少量に対するエネルギ減少量の項目毎の影響度合いを認識することができる。
【００１２】
上記改善エネルギ算出手段が項目エネルギ減少量を算出する構成において、好ましくは、改善エネルギ算出手段は、生活改善プランの少なくとも項目毎の消費エネルギ量を算出する改善消費エネルギ算出手段と、生活改善プランの少なくとも項目毎の摂取エネルギ量を算出する改善摂取エネルギ算出手段とを有する。このように構成すれば、改善消費エネルギ量および改善摂取エネルギ量の両方に基づいて、エネルギ消費に関する項目およびエネルギ摂取に関する項目の両方の項目に対してそれぞれ改善エネルギ減少量を算出することができる。
【００１３】
上記プラン受付画面を介して生活改善プランの入力を受け付ける構成において、好ましくは、現状受付手段は、改善プラン受付手段が生活改善プランの入力を受け付けるプラン受付画面を介して現在の生活状況に関する情報の入力を受け付けるように構成されている。このように構成すれば、現在の生活状況に関する情報および生活改善プランの両方の入力を共通の受付画面を介して受け付けることができるので、ユーザは、現在の生活状況に関する情報および生活改善プランを互いに比較しながら入力することができる。
【００１４】
上記プラン受付画面を介して現在の生活状況に関する情報の入力を受け付ける構成において、好ましくは、現状受付手段は、ユーザがプラン受付画面に表示される現状用選択肢を選択することによって、現在の生活状況に関する情報の入力を受け付け、改善プラン受付手段は、ユーザがプラン受付画面に表示される改善用選択肢を選択することによって、生活改善プランの入力を受け付けるように構成されている。このように構成すれば、ユーザは、選択肢から選択するだけで、容易に現在の生活状況に関する情報および生活改善プランを入力することができる。
【００１５】
上記プラン受付画面に現状用選択肢が表示される構成において、好ましくは、コンピュータを、ユーザにより選択された現状用選択肢に基づいて、改善用選択肢を選択してプラン受付画面に選択結果を表示する改善プラン表示手段としてさらに機能させる。このように構成すれば、ユーザが改善用選択肢を選択することなく、改善プラン表示手段により、ユーザによって選択された現状用選択肢に基づく改善用選択肢が選択されるので、ユーザは改善プラン表示手段による選択結果に基づいて生活改善プランを入力することができる。これにより、生活改善プランを入力する際のユーザの負担を軽減することができる。
【００１６】
上記プラン受付画面に現状用選択肢が表示される構成において、好ましくは、現状用選択肢および改善用選択肢は、共通の選択肢からなる。このように構成すれば、現状用選択肢および改善用選択肢をそれぞれ別個に設ける必要がない。
【００１７】
上記プラン受付画面に現状用選択肢が表示される構成において、好ましくは、コンピュータを、ユーザの健康に関する質問に対する回答の入力を受け付ける健康情報回答受付手段と、健康情報回答受付手段により受け付けられた健康に関する質問に対する回答に基づいて、生活改善プランの少なくとも１つの項目においてユーザに応じた現状用選択肢および改善用選択肢を表示する選択肢表示手段としてさらに機能させる。このように構成すれば、ユーザに応じた選択肢から入力情報を選択することができるので、各々のユーザに適した生活改善プランを入力することができる。
【００１８】
上記複数の項目に関する生活改善プランの入力を受け付ける構成において、好ましくは、コンピュータを、ユーザの健康に関する質問に対する回答の入力を受け付ける健康情報回答受付手段と、健康情報回答受付手段により受け付けられた健康に関する質問に対する回答に基づいて、生活改善プランに取り組むための項目の優先順位を決定して識別可能に表示する優先順位決定表示手段としてさらに機能させる。このように構成すれば、ユーザに対して取り組むべき項目の優先順位を認識させることができるので、ユーザに対して、生活改善させるためのより強い動機付けを与えることができる。
【００１９】
上記第１の局面による保健指導支援用プログラムにおいて、好ましくは、エネルギ比較表示手段は、目標エネルギ減少量および改善エネルギ減少量を比較可能なグラフを表示するように構成されている。このように構成すれば、ユーザは、グラフにより、目標エネルギ減少量と改善エネルギ減少量との関係を視覚的に容易に認識することができる。
【００２０】
上記第１の局面による保健指導支援用プログラムにおいて、好ましくは、現状受付手段は、運動、飲酒、間食、外食、食事量からなる群から選択される少なくとも１種に関する現在の生活状況に関する情報の入力を受け付け、改善プラン受付手段は、運動、飲酒、間食、外食、食事量からなる群から選択される少なくとも１種に関する改善プランの入力を受け付けるように構成されている。このように構成すれば、現状受付手段および改善プラン受付手段により、それぞれ、運動、飲酒、間食、外食、食事量といった具体的な事項に関しての現状および生活改善プランが受け付けられるので、ユーザにとって現状および生活改善プランを入力し易くなる。
【００２１】
上記第１の局面による保健指導支援用プログラムにおいて、好ましくは、目標受付手段は、体重、腹囲および体脂肪率からなる群から選択される少なくとも１種に関する目標の入力を受け付けるように構成されている。このように構成すれば、目標受付手段により、体重、腹囲および体脂肪率といった具体的な事項に関しての目標が受け付けられるので、ユーザにとって目標を設定し易くなる。
【００２２】
上記第１の局面による保健指導支援用プログラムにおいて、好ましくは、コンピュータを、ユーザの健康に関する基礎情報の入力を受け付ける基礎情報受付手段と、基礎情報および生活改善プランに基づいて、ユーザに対してプランに取り組む際の助言を示す助言手段としてさらに機能させる。このように構成すれば、ユーザは、助言手段により示された助言に従ってプランに取り組むことができるので、ユーザにとって、生活改善プランに取り組み易くなる。
【００２３】
この発明の第２の局面における保健指導支援用プログラムを記録した記録媒体は、コンピュータを、ユーザの現在の生活状況に関する情報の入力を受け付ける現状受付手段と、ユーザの生活改善のための目標の入力を受け付ける目標受付手段と、ユーザの生活改善プランの入力を受け付ける改善プラン受付手段と、目標受付手段により受け付けられた目標を達成するための目標エネルギ減少量と、現在の生活状況に関する情報および生活改善プランの両方に基づいて得られた現状に対する改善時の改善エネルギ減少量とを比較可能に表示するエネルギ比較表示手段として機能させるための保健指導支援用プログラムを記録する。
【００２４】
この発明の第２の局面による保健指導支援用プログラムを記録した記録媒体では、上記のように、コンピュータを、ユーザの生活改善のための目標の入力を受け付ける目標受付手段により受け付けられたユーザの目標を達成するための目標エネルギ減少量と、ユーザの現在の生活状況に関する情報およびユーザの生活改善プランの両方に基づく現状に対する改善時の改善エネルギ減少量とを比較可能に表示するエネルギ比較表示手段として機能させるための保健指導支援用プログラムを記録することによって、ユーザの意図で入力した目標を達成するための目標エネルギ減少量と現状に対する改善時の改善エネルギ減少量との関係を視覚的に認識することができるので、ユーザはユーザの意図する生活改善目標に対して生活改善プランがどのくらいの効果を有するのかを容易に把握することができる。これにより、ユーザの生活改善プランへの取り組み意欲が刺激され、ユーザに対して、生活改善させるための強い動機付けを与えることができる。また、現状に対する改善時の改善エネルギ減少量を表示することによって、ユーザは現状に対する改善時の相対的なエネルギ減少量を算出することなく視覚的に容易に認識することができるので、これによっても、ユーザの生活改善プランの取り組み意欲を刺激することができる。
【００２５】
この発明の第３の局面における保健指導支援システムは、ユーザの現在の生活状況に関する情報の入力を受け付ける現状受付部と、ユーザの生活改善のための目標の入力を受け付ける目標受付部と、ユーザの生活改善プランの入力を受け付ける改善プラン受付部と、目標受付部により受け付けられた目標を達成するための目標エネルギ減少量と、現在の生活状況に関する情報および生活改善プランの両方に基づいて得られた現状に対する改善時の改善エネルギ減少量とを比較可能に表示するエネルギ比較表示部とを備える。
【００２６】
この発明の第３の局面による保健指導支援システムでは、上記のように、ユーザの生活改善のための目標の入力を受け付ける目標受付部により受け付けられたユーザの目標を達成するための目標エネルギ減少量と、ユーザの現在の生活状況に関する情報およびユーザの生活改善プランの両方に基づく現状に対する改善時の改善エネルギ減少量とを比較可能に表示するエネルギ比較表示部とを設けることによって、ユーザの意図で入力した目標を達成するための目標エネルギ減少量と現状に対する改善時の改善エネルギ減少量との関係を視覚的に認識することができるので、ユーザはユーザの意図する生活改善目標に対して生活改善プランがどのくらいの効果を有するのかを容易に把握することができる。これにより、ユーザの生活改善プランへの取り組み意欲が刺激され、ユーザに対して、生活改善させるための強い動機付けを与えることができる。また、現状に対する改善時の改善エネルギ減少量を表示することによって、ユーザは現状に対する改善時の相対的なエネルギ減少量を算出することなく視覚的に容易に認識することができるので、これによっても、ユーザの生活改善プランの取り組み意欲を刺激することができる。
【図面の簡単な説明】
【００２７】
【図１】本発明の一実施形態による保健指導支援システムの全体構成を示したブロック図である。
【図２】図１に示した一実施形態による保健指導支援システムの保健指導支援用プログラムによる保健指導支援動作を示したフロー図である。
【図３】図１に示した一実施形態による保健指導支援システムの目標設定画面を示した図である。
【図４】図１に示した一実施形態による保健指導支援システムの保健指導支援用プログラムによる保健指導支援動作を説明するための図である。
【図５】図１に示した一実施形態による保健指導支援システムの活動運動画面を示した図である。
【図６】図１に示した一実施形態による保健指導支援システムの飲酒画面を示した図である。
【図７】図１に示した一実施形態による保健指導支援システムの間食画面を示した図である。
【図８】図１に示した一実施形態による保健指導支援システムの外食・食事量画面を示した図である。
【図９】図１に示した一実施形態による保健指導支援システムの外食・食事量画面を示した図である。
【図１０】図１に示した一実施形態による保健指導支援システムの食事習慣改善画面を示した図である。
【図１１】図１に示した一実施形態による保健指導支援システムの食事バランス改善画面を示した図である。
【図１２】図１に示した一実施形態による保健指導支援システムの禁煙画面を示した図である。
【図１３】図１に示した一実施形態による保健指導支援システムの目標確認画面を示した図である。
【図１４】図１に示した一実施形態による保健指導支援システムの変形例における活動運動画面を示した図である。
【発明を実施するための形態】
【００２８】
以下、本発明を具体化した実施形態を図面に基づいて説明する。
【００２９】
まず、図１を参照して、本発明の一実施形態による保健指導支援システム１の全体構成について説明する。
【００３０】
本実施形態による保健指導支援システム１は、図１に示すように、制御部２と、表示部３と、入力デバイス４とから主として構成されたコンピュータによって構成されている。
【００３１】
制御部２は、ＣＰＵ２１と、ＲＯＭ２２と、ＲＡＭ２３と、ハードディスク２４と、読出装置２５と、入出力インタフェース２６と、通信インタフェース２７と、画像出力インタフェース２８とから主として構成されている。ＣＰＵ２１、ＲＯＭ２２、ＲＡＭ２３、ハードディスク２４、読出装置２５、入出力インタフェース２６、通信インタフェース２７、および画像出力インタフェース２８は、バス２９によって接続されている。
【００３２】
ＣＰＵ２１は、ＲＯＭ２２に記憶されているコンピュータプログラムおよびＲＡＭ２３にロードされたコンピュータプログラムを実行することが可能である。そして、後述するような保健指導支援用プログラム５ａをＣＰＵ２１が実行することにより、コンピュータが保健指導支援システム１として機能する。
【００３３】
ＲＯＭ２２は、マスクＲＯＭ、ＰＲＯＭ、ＥＰＲＯＭ、ＥＥＰＲＯＭなどによって構成されており、ＣＰＵ２１に実行されるコンピュータプログラムおよびこれに用いるデータなどが記録されている。
【００３４】
ＲＡＭ２３は、ＳＲＡＭまたはＤＲＡＭなどによって構成されている。ＲＡＭ２３は、ＲＯＭ２２およびハードディスク２４に記録されているコンピュータプログラムの読み出しに用いられる。また、これらのコンピュータプログラムを実行するときに、ＣＰＵ２１の作業領域として利用される。
【００３５】
ハードディスク２４は、オペレーティングシステムおよびアプリケーションプログラムなど、ＣＰＵ２１に実行させるための種々のコンピュータプログラムおよびそのコンピュータプログラムの実行に用いるデータがインストールされている。保健指導支援用プログラム５ａも、このハードディスク２４にインストールされている。また、ハードディスク２４は、後述するユーザの健康に関する情報を記憶可能に構成されている。
【００３６】
読出装置２５は、フレキシブルディスクドライブ、ＣＤ−ＲＯＭドライブ、またはＤＶＤ−ＲＯＭドライブなどによって構成されており、ＣＤ−ＲＯＭ型の可搬型記録媒体５に記録されたコンピュータプログラムまたはデータを読み出すことができる。また、可搬型記録媒体５には、保健指導支援用プログラム５ａが格納されており、コンピュータがその可搬型記録媒体５から保健指導支援用プログラム５ａを読み出してハードディスク２４にインストールすることが可能である。
【００３７】
なお、上記保健指導支援用プログラム５ａは、可搬型記録媒体５によって提供されるのみならず、電気通信回線（有線、無線を問わない）によってコンピュータと通信可能に接続された外部の機器から上記電気通信回線を通じて提供することも可能である。たとえば、上記保健指導支援用プログラム５ａがインターネット上のサーバコンピュータのハードディスク内に格納されており、このサーバコンピュータにコンピュータがアクセスして、その保健指導支援用プログラム５ａをダウンロードし、これをハードディスク２４にインストールすることも可能である。また、上記保健指導支援用プログラム５ａをインターネット上のサーバに格納させ、このサーバに対してクライアントの端末からアクセスして使用する形態も適用可能である。
【００３８】
また、ハードディスク２４には、たとえば、米マイクロソフト社が製造販売するＷｉｎｄｏｗｓ（登録商標）などのグラフィカルユーザインタフェース環境を提供するオペレーティングシステムがインストールされている。以下の説明においては、保健指導支援用プログラム５ａは上記オペレーティングシステム上で動作するものとしている。
【００３９】
入出力インタフェース２６は、たとえば、ＵＳＢ、ＩＥＥＥ１３９４、ＲＳ−２３２Ｃなどのシリアルインタフェース、ＳＣＳＩ、ＩＤＥ、ＩＥＥＥ１２８４などのパラレルインタフェース、およびＤ／Ａ変換器、Ａ／Ｄ変換器などからなるアナログインタフェースなどから構成されている。入出力インタフェース２６には、入力デバイス４が接続されており、ユーザがその入力デバイス４を使用することにより、コンピュータにデータを入力することが可能である。
【００４０】
通信インタフェース２７は、たとえば、Ｅｔｈｅｒｎｅｔ（登録商標）インタフェースである。保健指導支援システム１は、この通信インタフェース２７により、所定の通信プロトコルを使用して外部のホストコンピュータ１０との間でデータの送受信を行うように構成されている。また、保健指導支援システム１は、通信インタフェース２７およびネットワークを介して、他のコンピュータ１１との間でデータの送受信を行うことが可能に構成されている。
【００４１】
画像出力インタフェース２８は、ＬＣＤまたはＣＲＴなどで構成された表示部３に接続されており、ＣＰＵ２１から与えられた画像データに応じた映像信号を表示部３に出力するように構成されている。表示部３は、入力された映像信号にしたがって、画像（画面）を表示するように構成されている。
【００４２】
次に、図２〜図１３を参照して、本実施形態による保健指導支援システム１の保健指導支援用プログラム５ａによる保健指導支援動作について説明する。
【００４３】
まず、図２のステップＳ１において、ＣＰＵ２１により、ユーザの健康に関する基礎データの入力が受け付けられる。具体的には、入力デバイス４により、氏名、性別、年齢、体重、腹囲、身長などの基礎的な情報に加えて、収縮期血圧、拡張期血圧、中性脂肪、ＨｂＡ１ｃ、空腹時血糖値などの健診項目による情報が入力される。そして、ステップＳ２において、食習慣、食事バランス、運動習慣、運動経歴、行動意欲、個人環境、喫煙習慣などに関する設問への回答が受け付けられる。詳細には、表示部３に表示される図示しない追加設問画面に上記項目に関する設問が表示され、ユーザが入力デバイス４を用いて各設問に対して回答することによって、ＣＰＵ２１により、追加設問への回答が受け付けられる。具体的な設問内容としては、たとえば、食習慣について、お酒を飲む頻度、夕食後に間食をとる頻度、ごはん・パン・麺類の夜食間食をとる頻度、菓子類をとる頻度、ジュースをとる頻度、外食の頻度などに関する設問がある。ＣＰＵ２１により受け付けられた入力データは、通信インタフェース２７を介して接続されたホストコンピュータ１０に記憶される。
【００４４】
次に、ステップＳ３において、ＣＰＵ２１により、目標の入力が受け付けられる。具体的には、図３に示すように、目標設定ボタン３ｃが押下されることによって、目標設定画面３１が表示される。目標設定画面３１には、入力データに基づいて、現在の体重および腹囲が表示されるとともに、各値の減少割合を選択するための選択部３１１ａおよび３１１ｂが表示される。選択部３１１ａおよび３１１ｂは、それぞれ、プルダウン方式で減少割合を選択することが可能である。また、ユーザは、目標設定画面３１において、体重および腹囲の減少割合から算出される目標体重および目標腹囲を確認可能である。具体的には、ユーザにより体重の減少割合が選択された場合、ＣＰＵ２１により、目標体重および減少する体重が算出されて表示される。また、ユーザにより腹囲の減少割合が選択された場合には、体重の場合と同様に、目標腹囲および減少する腹囲が算出されて表示される。上記の機能を用いることによって、ＣＰＵ２１により、減少割合から目標体重および目標腹囲が容易に算出されるので、ユーザにとって目標体重または目標腹囲を決定し易くなる。
【００４５】
また、目標設定画面３１では、１日当たりのエネルギ減少目標値の設定が可能である。ユーザが減少割合から算出される目標体重および目標腹囲を参考にしながら、目標設定部３１２ａまたは３１２ｂに体重または腹囲のいずれか一方の目標値を入力することによって、ＣＰＵ２１により目標エネルギ減少量が算出される。具体的には、ユーザは、目標値を入力した後、期間設定部３１３ａから減量を行う期間を選択する。期間設定部３１３ａには、月単位に区分された６つの選択ボタンが帯状に配列されており、ユーザが減量する期間に対応する選択ボタンを選択することによって、６ヶ月間のうちのいずれの期間を減量期間とするかを設定可能である。減量期間として設定された月は、変色されて強調表示される。図３に示す目標設定画面３１では、１ヶ月目、３ヶ月目および５ヶ月目が減量期間として設定されて強調表示されている。また、期間設定部３１３ａにおいて減量期間が設定されるのに伴って、減量期間表示部３１３ｂおよび維持期間表示部３１３ｃには、それぞれ、対応する月数が表示される。
【００４６】
減量期間とは、目標体重または目標腹囲に到達させるための期間であり、維持期間とは、減量して到達された目標体重または目標腹囲を維持させる期間である。本実施形態では、減量期間および維持期間を合わせて６ヶ月間となるように設定することが可能である。そして、減量期間および維持期間が設定されると、開始から１ヶ月毎の目標体重または目標腹囲が表示される。さらに、ＣＰＵ２１により、これらの設定値に基づいて算出が行われ、１日当たりに減少させる体重または腹囲、および、減少させる必要がある１日当たりの目標エネルギ減少量がそれぞれ目標値設定欄３１４に表示される。たとえば、体重１００ｋｇのユーザが目標体重９５ｋｇに設定するとともに、減量期間を３ヶ月、維持期間を３ヶ月と設定した場合には、最終的に減少させなければならない総エネルギ量を算出した後、その値を減量期間の日数で除すことによって１日当たりの目標エネルギ減少量が３９０ｋｃａｌと算出される。なお、本実施形態では、体重を１ｋｇ減少させるためのエネルギ減少量を７０００ｋｃａｌと仮定している。また、体重を１ｋｇ減少させることは、腹囲を１０ｍｍ減少させることと等価であると仮定している。
【００４７】
また、目標設定画面３１上に表示される病態把握ボタン３ａが押下されると、ユーザに対して、血管リスク、病態進行度合い、および、喫煙リスクに関する情報を提供するための図示しない病態把握画面が表示される。また、将来予測ボタン３ｂが押下されると、ユーザに対して、体形、健康年齢および医療費に関する将来の予測を示す図示しない将来予測画面が表示される。
【００４８】
次に、図２のステップＳ４において、ＣＰＵ２１により、ステップＳ２で受け付けられた追加設問に対する回答に基づいて、プラン項目の順序が入れ替えられる。具体的には、ＣＰＵ２１により、図５〜図１２に表示される後述のプラン種タブ（３２ａ〜３８ａ）の配列順序が、取り組むべき優先度が高いプランほど左側に配置されるように入れ替えられる。詳細には、本実施形態では、プラン項目として、後述するように、活動運動プラン、飲食プラン、間食プラン、外食・食事量プラン、食事習慣改善プラン、食事バランス改善プランおよび禁煙プランの７つの項目があり、ステップＳ４において順序が入れ替えられるプランは、飲食プラン、間食プランおよび外食・食事量プランの３つのプラン項目である。
【００４９】
より詳細には、活動運動プランは、いずれのユーザに対しても最も優先度が高いプランとして、最左端に配置される。これは、本実施形態においては、いずれのユーザであっても、活動および運動により消費エネルギ量を増加させることを最も重要視しているからである。また、食事習慣改善プラン、食事バランス改善プランおよび禁煙プランは、それぞれ、いずれのユーザに対しても優先度の高さが５番目、６番目および７番目として左側から５番目、６番目および７番目に配置される。そして、飲食プラン、間食プランおよび外食・食事量プランの３つの項目について、追加設問に対する回答に基づいて、２番目〜４番目の範囲で優先度の高さが変動されて、配置順序が入れ替えられる。
【００５０】
次に、優先順位の決定方法について説明する。本実施形態では、ＣＰＵ２１により、図４に示すように、飲酒、間食および外食・食事量に関する追加設問に対する回答に基づいて、優先度に基づく配列順序が８つのパターンに分類される。たとえば、お酒を毎日飲み、夕食後に間食をとることが週に３回以上なく、ごはん・パン・麺類の夜食間食、菓子類およびジュース等の嗜好品を一切摂取しないと回答するとともに、外食を週に３回すると回答した場合には、パターン２に該当し、飲酒プラン、外食・食事量プランおよび間食プランの順で優先度が高くなる。なお、外食・食事量プランにおいて、外食用および家庭用とあるのは、後述するように、追加設問に対する回答に基づいて、外食・食事量画面３５の選択リスト欄３５３（図８および図９参照）の表示が切り替えられるためである。また、後述のプラン入力の説明においては、飲酒プラン、間食プランおよび外食・食事量プランが、それぞれ、２番目、３番目および４番目の優先順位である場合について説明する。
【００５１】
次に、図２のステップＳ５において、ＣＰＵ２１により、プランの入力が受け付けられる。具体的には、図５に示すように、プラン設定ボタン３ｄを押下した後、活動運動タブ３２ａを選択することによって、活動運動画面３２が表示される。活動運動画面３２には、活動および運動に関しての現状を示す現状表示欄３２１と、目標達成のためのプランを示す目標表示欄３２２と、選択リスト欄３２３と、グラフ表示領域３２４と、コメント欄３２５とが表示される。現状表示欄３２１および目標表示欄３２２には、それぞれ、活動および運動に関する１週間分の状況が表示されるとともに、１日毎の消費エネルギ量が表示される。
【００５２】
また、選択リスト欄３２３には、活動タブ３２３ａおよび運動タブ３２３ｂが設けられており、活動タブ３２３ａを選択すると一定量（たとえば、約４０ｋｃａｌ）の消費エネルギに対応する活動アイコンが複数表示される。また、運動タブ３２３ｂを選択すると一定量（たとえば、約４０ｋｃａｌ）の消費エネルギに対応する運動アイコンが複数表示される。また、活動アイコンおよび運動アイコンは、それぞれ、ステップＳ２で受け付けられた追加設問に対する回答に基づいてパーソナライズ化されている。すなわち、入力された運動経歴に基づいて、各ユーザの嗜好に沿ったアイコンが表示される。また、選択リスト欄３２３に表示されるアイコンは、現状入力用およびプラン入力用の両方に共通に用いられる。
【００５３】
ユーザは、まず、現状表示欄３２１の対応する箇所に選択リストから当てはまるアイコンを選択してドラッグ＆ドロップ操作することによって、現在の活動運動状況を作成する。たとえば、平日に徒歩で通勤している場合には、月曜日〜金曜日の朝および夜の欄に普通歩行のアイコンをドラッグ＆ドロップ操作して表示させる。現状表示欄３２１にいずれかのアイコンが表示されると、現状表示欄３２１の下段に１日毎の消費エネルギ量が表示される。また、現状表示欄３２１の下側には、１日当たりの平均消費エネルギ量（５７．１ｋｃａｌ）が表示される。これにより、ユーザは現在の活動および運動の状態を再認識するとともに、１日当たりの平均消費エネルギ量を確認することが可能である。
【００５４】
そして、現状表示欄３２１にアイコンがドラッグ＆ドロップされると、これに連動して、目標表示欄３２２には、現在の活動運動状況と同じ内容のアイコンがドラッグ＆ドロップされた状態となる。すなわち、現状表示欄３２１の月曜日〜金曜日の朝および夜の欄に普通歩行のアイコンをドラッグ＆ドロップ操作して段階で、目標表示欄３２２の月曜日〜金曜日の朝および夜の欄に普通歩行のアイコンがドラッグ＆ドロップされる。これにより、ユーザは、自動的に所定の欄にアイコンが表示された目標表示欄３２２を基にして、活動運動プランを作成することが可能である。
【００５５】
たとえば、現状に加えて、平日の昼間にウォーキングを行う場合には、図５に示すように、月曜日〜金曜日の昼の欄に速歩のアイコンをドラッグ＆ドロップ操作して表示させる。目標表示欄３２２にアイコンが表示されると、目標表示欄３２２の下段に、プランを実行した場合の１日毎の消費エネルギ量が表示され、目標表示欄３２２の下側にはプランを実行した場合の１日当たりの平均消費エネルギ量（８５．７ｋｃａｌ）が表示される。また、現状に対する活動運動プラン実行時の１日当たりの平均減少エネルギ量（項目エネルギ量）（２８．６ｋｃａｌ）が併せて表示される。
【００５６】
また、グラフ表示領域３２４には、目標エネルギ減少量（３９０ｋｃａｌ）に対して、設定されたプランを実行した場合の１日当たりの平均エネルギ減少量（２８．６ｋｃａｌ）が棒グラフでグラフィカル表示されるとともに、数値としても表示される。棒グラフは、１日当たりの平均エネルギ減少量に対応する部分が、赤色に変色されて強調表示される。さらに、グラフ表示領域３２４には、目標エネルギ減少量（３９０ｋｃａｌ）に到達するまでの残エネルギ量（３６１．４ｋｃａｌ）が表示される。なお、目標エネルギ減少量は、図３の目標値設定欄３１４に表示される１日当たりの目標エネルギ減少量である。また、１日当たりの平均エネルギ減少量は、活動運動プラン、後述する飲酒プラン、間食プランおよび外食・食事量プランのすべてのプランを併用した場合に減少される１日当たりの平均エネルギ減少量の合計値（合算値）である。図５に示す活動運動画面３２では、活動運動プランしか設定されていない状態（飲酒プラン、間食プランおよび外食・食事量プランが未設定の状態）であるため、１日当たりの平均エネルギ減少量は、活動運動プランのみを実行した場合の数値（図５の場合には２８．６ｋｃａｌ）となっている。また、グラフ表示領域３２４の数値および棒グラフは、現状表示欄３２１および目標表示欄３２２にアイコンがドラッグ＆ドロップされるのに連動して変更される。
【００５７】
また、コメント欄３２５の上段には、図２のステップＳ１において受け付けられた基礎データおよびプラン内容に基づいて、各ユーザに対応する禁忌事項が表示される。たとえば、ＢＭＩが３０以上のユーザに対しては、「ヒザ・足首に負担がかからないように注意してください。立って行う運動は座って行う姿勢からはじめるよう注意してください。」と表示され、現在血糖の治療中のユーザに対しては、「低血糖に注意しながら運動してください。」と表示される。また、最高血圧が１３０以上または最低血圧が８５以上のユーザに対しては、「呼吸を止めて、力を込めるような運動は、血圧が上昇するので注意してください。」と表示される。また、コメント欄３２５の下段には、目標表示欄３２２で設定されたプランが文章化されて表示される。
【００５８】
次に、図６に示すように、飲酒タブ３３ａを選択することによって、飲酒画面３３が表示される。飲酒画面３３には、飲酒に関しての現状を示す現状表示欄３３１と、目標達成のためのプランを示す目標表示欄３３２と、取り組み項目のアイコンが例示された選択リスト欄３３３と、グラフ表示領域３３４と、プラン文言設定欄３３５と、アシスト表示欄３３６とが表示される。現状表示欄３３１、目標表示欄３３２、選択リスト欄３３３およびグラフ表示領域３３４の構成は、それぞれ、図５に示した活動運動画面３２の現状表示欄３２１、目標表示欄３２２、選択リスト欄３２３およびグラフ表示領域３２４の構成と同様である。
【００５９】
ただし、図５に示した活動運動画面３２の現状表示欄３２１および目標表示欄３２２の下段には、それぞれ、１日毎の消費エネルギ量が表示されるのに対して、図６に示した飲酒画面３３の現状表示欄３３１および目標表示欄３３２の下段には、それぞれ、１日毎の摂取エネルギ量が表示される。さらに、目標表示欄３３２の最下段には、現状に対するプラン実行時の摂取エネルギ減少量が表示される。また、現状表示欄３３１の下側には、１日当たりの平均摂取エネルギ量（２１９．４ｋｃａｌ）が表示され、目標表示欄３３２の下側にはプランを実行した場合の１日当たりの平均摂取エネルギ量（１５９．７ｋｃａｌ）が表示される。そして、現状に対する飲酒プラン実行時の１日当たりの平均減少エネルギ量（項目エネルギ量）（５９．７ｋｃａｌ）が併せて表示される。
【００６０】
また、飲酒画面３３のグラフ表示領域３３４には、１日当たりの平均エネルギ減少量として、先に設定した活動運動プランと飲酒プランとの合算改善エネルギ減少量（２８．６（活動運動）＋５９．７（飲酒）＝８８．３ｋｃａｌ）が表示される。
【００６１】
また、プラン文言設定欄３３５には、プラン作成にあたっての概略的な複数の目標が選択可能に表示される。また、アシスト表示欄３３６には、プラン文言設定欄３３５で選択された目標の達成に向けて、目標表示欄３３２で設定するプランへの助言が表示される。たとえば、プラン文言設定欄３３５で「週に２日は休肝日を作る」を選択した場合に目標表示欄３３２で休肝日が１日しか設定されていなければ、アシスト表示欄３３６には、「あと１日の休肝日を設定してください」という内容が表示される。また、この場合、目標表示欄３３２は、図６に示すように、アシスト表示欄３３６に表示された内容に対応する箇所が変色されて強調表示される。
【００６２】
また、図７に示すように、間食タブ３４ａを選択することによって、間食画面３４が表示される。間食画面３４には、間食に関しての現状を示す現状表示欄３４１と、目標達成のためのプランを示す目標表示欄３４２と、選択リスト欄３４３と、グラフ表示領域３４４と、プラン文言設定欄３４５と、アシスト表示欄３４６とが表示される。間食画面３４は、図６に示す飲酒画面３３と同様に構成されており、図７に示した間食画面３４の現状表示欄３４１、目標表示欄３４２、選択リスト欄３４３、グラフ表示領域３４４、プラン文言設定欄３４５およびアシスト表示欄３４６は、それぞれ、図６に示した飲酒画面３３の現状表示欄３３１、目標表示欄３３２、選択リスト欄３３３、グラフ表示領域３３４、プラン文言設定欄３３５およびアシスト表示欄３３６に対応している。
【００６３】
なお、間食画面３４のグラフ表示領域３４４には、１日当たりの平均エネルギ減少量として、先に設定した活動運動プランおよび飲酒プランと、間食プランとの合算改善エネルギ減少量（２８．６（活動運動）＋５９．７（飲酒）＋１３６．４（間食）＝２２４．７ｋｃａｌ）が表示される。
【００６４】
また、図８に示すように、外食・食事量タブ３５ａを選択することによって、外食・食事量画面３５が表示される。外食・食事量画面３５には、外食・食事量に関しての現状を示す現状表示欄３５１と、目標達成のためのプランを示す目標表示欄３５２と、選択リスト欄３５３と、グラフ表示領域３５４と、プラン文言設定欄３５５と、アシスト表示欄３５６とが表示される。外食・食事量画面３５は、図６に示す飲酒画面３３と同様に構成されており、図８に示した外食・食事量画面３５の現状表示欄３５１、目標表示欄３５２、選択リスト欄３５３、グラフ表示領域３５４、プラン文言設定欄３５５およびアシスト表示欄３５６は、それぞれ、図６に示した飲酒画面３３の現状表示欄３３１、目標表示欄３３２、選択リスト欄３３３、グラフ表示領域３３４、プラン文言設定欄３３５およびアシスト表示欄３３６に対応している。
【００６５】
ただし、外食・食事量画面３５の選択リスト欄３５３においては、ステップＳ２で受け付けられた追加設問に対する回答に基づいて、表示されるアイコンの種類が切り替えられる。具体的には、外食するユーザに対しては、図８に示すように、カツ丼や親子丼などの外食用のアイコンが表示され、外食しないユーザに対しては、図９に示すように、ご飯普通盛りやご飯大盛りなどの家庭用のアイコンが表示される。これにより、各ユーザに応じたアイコンが選択リスト欄３５３に表示されるので、ユーザは現状の入力およびプランの入力を行い易くなる。また、外食・食事量画面３５のグラフ表示領域３５４には、１日当たりの平均エネルギ減少量として、先に設定した活動運動プラン、飲酒プランおよび間食プランと、外食・食事量プランとの合算改善エネルギ減少量（２８．６（活動運動）＋５９．７（飲酒）＋１３６．４（間食）＋１０８．４（外食・食事量）＝３３３．１ｋｃａｌ）が表示される。
【００６６】
また、図１０に示すように、食事習慣改善タブ３６ａを選択することによって、食事習慣改善画面３６が表示される。食事習慣改善画面３６には、食事の仕方（食事習慣）についてのプランを設定するためのプラン設定欄３６１が表示される。プラン設定欄３６１には、食事習慣を改善するための複数の改善プランが表示される。ユーザは、プラン設定欄３６１の任意の改善プランを選択して設定することが可能である。この際、ユーザは、複数選択することも可能であるし、選択しないことも可能である。なお、プラン設定欄３６１において改善プランを選択したとしても、上記した１日当たりの平均エネルギ減少量は変動されない。
【００６７】
また、図１１に示すように、食事バランス改善タブ３７ａを選択することによって、食事バランス改善画面３７が表示される。食事バランス改善画面３７には、食事バランスについてのプランを設定するためのプラン設定欄３７１が表示される。プラン設定欄３７１には、食事バランスを改善するための複数の改善プランが表示される。ユーザは、プラン設定欄３７１の任意の改善プランを選択して設定することが可能である。この際、ユーザは、複数選択することも可能であるし、選択しないことも可能である。なお、プラン設定欄３７１において改善プランを選択したとしても、上記の食事習慣の場合と同様に、１日当たりの平均エネルギ減少量は変動されない。
【００６８】
また、図１２に示すように、禁煙タブ３８ａを選択することによって、禁煙画面３８が表示される。禁煙画面３８には、禁煙についてのプランを設定するためのプラン設定欄３８１が表示される。プラン設定欄３８１には、禁煙するための複数のプランが表示される。具体的には、プラン設定欄３８１には、ユーザからの入力データに基づいて、各ユーザに適合するように、無関心期のプラン選択肢、関心期のプラン選択肢および準備期のプラン選択肢の３パターンの内容が表示される。たとえば、ユーザが喫煙リスクに対して無関心状態の場合には、図１２に示すように、無関心期の複数のプランが選択可能に表示される。ユーザは、表示された複数のプランから任意のプランを選択して設定することが可能である。この際、ユーザは、複数のプランを選択することも可能であるし、全くプランを選択しないことも可能である。なお、プラン設定欄３８１においてプランを選択したとしても、上記の食事習慣および食事バランスの場合と同様に、１日当たりの平均エネルギ減少量は変動されない。
【００６９】
次に、図２のステップＳ６において、図１３に示すように、目標確認画面３９が表示される。具体的には、ユーザが目標確認ボタン３ｅを押下することによって、目標確認画面３９が表示される。目標確認画面３９には、図３に示す目標設定画面３１で設定された目標に基づいて、減量期間や１日当たりに減少させる体重、腹囲およびエネルギ量などが表示される。また、目標確認画面３９のプラン確認欄３９１には、各種プラン設定画面で設定したプラン内容が表示される。これにより、ユーザに目標およびプランを再認識させることが可能である。そして、ユーザは、目標およびプランを確認した後、登録ボタン３９２を押下することによって、目標およびプランの登録を行う。これにより、設定された目標およびプランが通信インタフェース２７を介してホストコンピュータ１０に記憶される。
【００７０】
本実施形態では、上記のように、ユーザの生活改善のための目標を達成するための目標エネルギ減少量と、ユーザの現状に対するプラン実行時のエネルギ減少量とを比較可能に表示するようにＣＰＵ２１を構成することによって、ユーザの意図で入力した目標を達成するための目標エネルギ減少量と現状に対するプラン実行時のエネルギ減少量との関係を視覚的に認識することができるので、ユーザはユーザの意図する生活改善目標に対して生活改善プランがどのくらいの効果を有するのかを容易に把握することができる。これにより、ユーザの生活改善プランへの取り組み意欲が刺激され、ユーザに対して、生活改善させるための強い動機付けを与えることができる。また、現状に対するプラン実行時のエネルギ減少量を表示することによって、ユーザは現状に対するプラン実行時の相対的なエネルギ減少量を算出することなく視覚的に容易に認識することができるので、これによっても、ユーザの生活改善プランの取り組み意欲を刺激することができる。
【００７１】
また、本実施形態では、複数の項目に関する生活改善プランの入力を項目毎のプラン受付画面３２〜３５を介して受け付け、複数の項目の合算の現状に対するプラン実行時の合算改善エネルギ減少量を算出するとともに、プラン受付画面３２〜３５において、目標エネルギ減少量と合算改善エネルギ減少量とを比較可能に表示するようにＣＰＵ２１を構成することによって、生活改善プランを入力する際に、目標エネルギ減少量と各改善項目の合算の現状に対するプラン実行時の合算改善エネルギ減少量とが比較可能に表示されるので、ユーザは、目標エネルギ減少量と合算改善エネルギ減少量とを視覚的に比較しながら、生活改善プランの入力の選択肢を考えることができる。
【００７２】
また、本実施形態では、目標エネルギ減少量および合算改善エネルギ減少量に加えて、項目毎の現状に対するプラン実行時の項目エネルギ減少量も項目に対応するプラン受付画面上に表示するようにＣＰＵ２１を構成することによって、目標エネルギ減少量と項目毎の現状に対するプラン実行時の項目エネルギ減少量とを項目に対応するプラン受付画面上で比較することで、ユーザは、目標エネルギ減少量に対するエネルギ減少量の項目毎の影響度合いを認識することができる。
【００７３】
また、本実施形態では、プラン受付画面３２〜３５を介して現在の生活状況に関する情報の入力を受け付けるようにＣＰＵ２１を構成することによって、現在の生活状況に関する情報および生活改善プランの両方の入力を共通の受付画面を介して受け付けることができるので、ユーザは、現在の生活状況に関する情報および生活改善プランを互いに比較しながら入力することができる。
【００７４】
また、本実施形態では、ユーザがプラン受付画面３２〜３５に表示されるアイコンを選択することによって、現在の生活状況に関する情報の入力および生活改善プランの入力を受け付けるようにＣＰＵ２１を構成することによって、ユーザは、アイコンを選択するだけで、容易に現在の生活状況に関する情報および生活改善プランを入力することができる。
【００７５】
また、本実施形態では、追加設問に対する回答に基づいて、ユーザに応じたアイコンを活動運動画面３２に表示するようにＣＰＵ２１を構成することによって、ユーザに応じたアイコンから入力情報を選択することができるので、各々のユーザに適した生活改善プランを入力することができる。
【００７６】
また、本実施形態では、追加設問に対する回答に基づいて、プラン項目の優先順位を決定して識別可能に表示するようにＣＰＵ２１を構成することによって、ユーザに対して取り組むべきプランの優先順位を認識させることができるので、ユーザに対して、生活改善させるためのより強い動機付けを与えることができる。
【００７７】
また、本実施形態では、基礎データおよび生活改善プランに基づいて、ユーザに対してプランに取り組む際の禁忌事項を表示するようにＣＰＵ２１を構成することによって、ユーザは、禁忌事項に従ってプランに取り組むことができるので、ユーザにとって、生活改善プランに取り組み易くなる。
【００７８】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００７９】
たとえば、上記実施形態では、保険指導支援システムの入力デバイスにより入力された基礎データおよび追加設問に対する回答を受け付ける構成の例を示したが、本発明はこれに限らず、ネットワークを介して接続された他のコンピュータから入力された基礎データおよび追加設問に対する回答を受け付ける構成であってもよい。また、所定のデバイスと連携したオンライン入力や所定のファイル形式によるファイル入力などが可能な構成であってもよい。
【００８０】
また、上記実施形態では、活動運動画面に、現状に対する活動運動プラン実行時の１日当たりの平均減少エネルギ量を表示する構成の例を示したが、本発明はこれに限らず、活動運動画面に現状に対する活動運動プラン実行時の１日当たりの平均減少エネルギ量を表示しない構成であってもよい。たとえ活動運動画面に現状に対する活動運動プラン実行時の１日当たりの平均減少エネルギ量が表示されなくても、ユーザはグラフ表示領域において現状に対する活動運動プラン実行時の１日当たりの平均減少エネルギ量を確認することができる。すなわち、活動運動プランは、最も優先度が高いプランとして最初にプラン設定が行われるため、グラフ表示領域に表示される１日当たりの平均エネルギ減少量は、活動運動プランのみによる減少量と同値である。
【００８１】
また、上記実施形態では、各プラン受付画面において、現状表示欄にアイコンがドラッグ＆ドロップされると、これに連動して、目標表示欄に、現状と同じ内容のアイコンがドラッグ＆ドロップされる構成の例を示したが、本発明はこれに限らず、現状表示欄にアイコンがドラッグ＆ドロップされると、これに連動して、現状表示欄のアイコンの内容に基づいて、目標表示欄に、現状表示欄とは異なる内容のアイコンがドラッグ＆ドロップされる構成であってもよい。この場合、プラン実行時に現状に対して相対的なエネルギ量が減少するように、目標表示欄のアイコンを決定してもよい。
【００８２】
また、上記実施形態では、各プラン受付画面において、現状表示欄にアイコンがドラッグ＆ドロップされると、これに連動して、目標表示欄に、現状と同じ内容のアイコンがドラッグ＆ドロップされる構成の例を示したが、本発明はこれに限らず、現状表示欄へのアイコンのドラッグ＆ドロップ操作が目標表示欄に表示されるアイコンと連動しない構成であってもよい。この場合、グラフ表示領域の数値および棒グラフは、アイコンのドラッグ＆ドロップ操作に連動せず、図１４に示すように、計算ボタン３２６が押下されることによって、変動するように構成してもよい。これにより、アイコンをドラッグ＆ドロップ操作する度毎にグラフ表示領域の数値および棒グラフが変動されるのが防止される。
【００８３】
また、上記実施形態では、各プラン受付画面において、現状入力用およびプラン入力用の両方に共通に用いられるアイコンを選択リスト欄に表示する構成の例を示したが、本発明はこれに限らず、現状入力用およびプラン入力用のアイコンをそれぞれ別々に選択リスト欄に表示する構成であってもよい。
【００８４】
また、上記実施形態では、グラフ表示領域に棒グラフを表示する構成の例を示したが、本発明はこれに限らず、グラフ表示領域に棒グラフ以外の、たとえば円グラフなどを表示する構成であってもよい。
【００８５】
また、上記実施形態では、健康に関する質問の一例として、食習慣、食事バランス、運動習慣、運動経歴、行動意欲、個人環境、喫煙習慣に関する追加設問を示したが、本発明はこれに限らず、たとえば、睡眠時間や生活リズムなど、上記以外の他の健康に関する質問であってもよい。
【００８６】
また、上記実施形態では、入力データをホストコンピュータに記憶する構成の例を示したが、本発明はこれに限らず、入力データを保健指導支援システムのハードディスクに記憶する構成であってもよい。
【００８７】
また、上記実施形態では、設定された目標およびプランをホストコンピュータに記憶する構成の例を示したが、本発明はこれに限らず、設定された目標およびプランを保健指導支援システムのハードディスクに記憶する構成であってもよい。
【００８８】
また、上記実施形態では、体重または腹囲についての目標を受け付ける構成の例を示したが、本発明はこれに限らず、体重または腹囲以外の、たとえば、体脂肪率などについての目標を受け付ける構成であってもよい。また、エネルギ減少目標量を直接入力するように構成してもよい。
【００８９】
また、上記実施形態では、保健指導支援用プログラムを記憶した記憶媒体の一例として、ＣＤ−ＲＯＭ型の可搬型記録媒体を示したが、本発明はこれに限らず、ＣＤ−ＲＯＭ型以外の、たとえば、フロッピディスク型やメモリカード型などの記録媒体であってもよい。
【符号の説明】
【００９０】
１    保健指導支援システム（コンピュータ）
５    可搬型記録媒体（保健指導支援用プログラムを記録した記録媒体）
５ａ    保健指導支援用プログラム
２１    ＣＰＵ（現状受付手段、目標受付手段、エネルギ比較表示手段、目標エネルギ算出手段、改善エネルギ算出手段、改善消費エネルギ算出手段、改善摂取エネルギ算出手段、改善プラン表示手段、健康情報回答受付手段、選択肢表示手段、優先順位決定表示手段、基礎情報受付手段）
３２    活動運動画面（プラン受付画面）
３３    飲酒画面（プラン受付画面）
３４    間食画面（プラン受付画面）
３５    外食・食事量画面（プラン受付画面）
【図１】
2010176242.tif 000003
【図２】
2010176242.tif 000004
【図３】
2010176242.tif 000005
【図４】
2010176242.tif 000006
【図５】
2010176242.tif 000007
【図６】
2010176242.tif 000008
【図７】
2010176242.tif 000009
【図８】
2010176242.tif 000010
【図９】
2010176242.tif 000011
【図１０】
2010176242.tif 000012
【図１１】
2010176242.tif 000013
【図１２】
2010176242.tif 000014
【図１３】
2010176242.tif 000015
【図１４】
2010176242.tif 000016